(57)【要約】【課題】  光源を用いずに、透明体に設けられた半透明部分の透明部分と不透明部分視覚的違いを組み合わせてなる置物、あるいは、全体として略円錐形又は円錐台形の有色の透明体と、透明体底面の下部に色彩を有する底面色部との視覚的違いを組み合わせてなる置物を提供する。【解決手段】  全体として透明体からなり、  上部は半透明状とされ、透明体下部の底面に色彩を有する底面色部３１、を備える置物。  あるいは、  全体として略円錐形又は円錐台形の有色の透明体と、透明体底面の下部に色彩を有する底面色部３１、を備える置物。【選択図】図１
2015066774.tif 000002
【特許請求の範囲】
【請求項１】
全体として略円錐形又は円錐台形の透明体からなり、
上部は半透明状とされ、透明体底面の下部に色彩を有する底面色部、を備える、
置物。
【請求項２】
側面に側面色部、
を備える請求項１記載の置物。
【請求項３】
底面色部は、透明体と嵌合する台座部材である請求項１乃至２記載の置物。
【請求項４】
全体として略円錐形又は円錐台形の有色の透明体と、
透明体底面の下部に色彩を有する底面色部、を備える、
置物。
【請求項５】
透明体の上部を半透明状とした請求項４記載の置物。
【請求項６】
透明体側面に、複数の凹凸部、
を備える請求項４乃至５記載の置物。
【請求項７】
透明体は、下方から上方に向かい、傾斜が強くなり直角に近づく、
請求項４乃至６記載の置物。
【請求項８】
側面に側面色部、
を備える請求項４乃至７記載の置物。
【請求項９】
底面色部は、透明体と嵌合する台座部材である請求項４乃至８記載の置物。
【発明の詳細な説明】
【技術分野】
【０００１】
本願発明は、専用の照明部材などの特別な光源を用いずに、透明体に設けられた透明部分、または透明部分と半透明部分の視覚的違いを組み合わせてなる置物に係る。
【背景技術】
【０００２】
特許文献１「照明板」には、「平面に彫刻された透明な板１と、その側面より光を入れる光源２とで構成される。また、平面に穴３をあけ、そこへ発光ダイオードを埋めこんだ透明な板１の照明板と、この２種を組み合せた照明板。」「透明板（１）の上に図３のように透明か半透明の彫刻物を置けば、彫刻で光が散乱して美的効果が向上する。」からなる記載がある。
【０００３】
特許文献２「ディスプレイ装置」には、「光透過性の物品を効果的に展示したり或いは飾ったりするため、照明付きのベース（台）に載せるようにしたディスプレイ装置が知られている。例えば、ベースの中にランプを入れ、ガラス瓶の底の部分から直接内部に光を当てるとともに、ガラス瓶の側部も照射してラベルや印刷内容も明るく映し出すことにより展示効果を高めるようにしたものや、ベースにおける載置部の下方にランプを設置し、載置部への所定の荷重により作動するスイッチを設けたものが知られている。」の記載がある。そして、実用新案登録第２５３１５３５号公報、実開平１−７１５６４号公報が参考文献として提示される。
【０００４】
特許文献３「置物」には、「透明なガラスからなるブロック体１１の底面１７に下方にブロック体１１内部に向かって光を反射する金箔１９を貼付する。同ブロック体１１に上方から下方にかけて斜め上方を向いた傾斜面１３を形成し、同ブロック体１１の同傾斜面１３の背面に当たる位置には同傾斜面１３を通して目視できる例えば釈迦如来像１５のような仏像を浮き彫りする。このように構成すると釈迦如来像１５が金箔１９に反射した金色の光と相まってブロック体１１を通して目視され釈迦如来像１５が奥まった位置に浮かぶと同時に光に包まれているような神韻とした雰囲気が得られる。」の記載がある。
【０００５】
特許文献４「葬祭用品」には、「収納空間１２と開口部１４とを有するカプセル本体１６と、カプセル本体１６の開口部１４を開閉するように着脱自在に取り付けられたキャップ１８と、カプセル本体１６の外周に被嵌されたプラスチックカバーとを備えている。カプセル本体１６は外表面が任意の色で着色されている。プラスチックカバーは、透明または半透明のプラスチックにより形成され、かつ外周面が磨りガラス状の白濁した状態とされている。」の記載がある。
【０００６】
特許文献５「光る置物」には、「台座と、この台座の上に載置されかつ表面の少なくとも一部に光を反射ないし拡散する部分が所定の繰り返しパターンの模様をなすように設けられた透明ブロック体と、この透明ブロック体に対して光を投射できるように上記台座中に設けられた複数の色の異なる光源」の記載がある。
【先行技術文献】
【特許文献】
【０００７】
【特許文献１】特開平９−９９７００号公報
【特許文献２】特開２００５−３１２５７４号公報
【特許文献３】特開２００１−３４７８００号公報
【特許文献４】実用新案登録第３１８１１００号
【特許文献５】実用新案登録第２５０２９２２号
【発明の概要】
【発明が解決しようとする課題】
【０００８】
特許文献１記載発明、特許文献２記載発明および特許文献５記載発明はともに、専用の照明部材などの特別な光源を用いるものである。特許文献３記載発明は、透明なガラスからなるブロック体底面に金箔１９を貼付するものであるが、ガラスの透明と半透明との視覚的な違いを利用するものでは無い。
特許文献４記載発明は、透明または不透明のプラスチックから形成されるが、透明と半透明との視覚的な違いを利用するものでは無い。
【０００９】
本発明の目的は、専用の照明部材などの特別な光源を用いずに、ブロック体の透明部分、または、透明部分と半透明部分の視覚的違いを組み合わせて色彩表現に変化を与える置物を提供することである。
【課題を解決するための手段】
【００１０】
本発明に係る置物は、
全体として略円錐形又は円錐台形の透明体からなり、上部は半透明状とされ、透明体底面の下部に色彩を有する底面色部、
を備える。
【００１１】
あるいは更に、本発明に係る置物は、
側面に側面色部、
を備える。
【００１２】
あるいは更に、本発明に係る置物は、
底面色部は、透明体と嵌合する台座部材、
を備える。
【００１３】
また、本発明に係る置物は、
全体として略円錐形又は円錐台形の有色の透明体と、透明体底面の下部に色彩を有する底面色部、
を備える。
【００１４】
あるいは更に、本発明に係る置物は、透明体の上部を半透明状とした、
を備える。
【００１５】
あるいは更に、本発明に係る置物は、透明体側面に、複数の凹凸部、
を備える。
【００１６】
あるいは更に、本発明に係る置物は、透明体は、下方から上方に向かい、傾斜が強くなり直角に近づく、
を備える。
【００１７】
あるいは更に、本発明に係る置物は、側面に側面色部、
を備える。
【００１８】
あるいは更に、本発明に係る置物は、底面色部は、透明体と嵌合する台座部材、
を備える。
【発明の効果】
【００１９】
本発明によれば、専用の照明部材などの特別な光源を用いずに、透明体の透明部分、または、透明部分と半透明部分の視覚的違いを組み合わせて色彩表現に変化を与える置物を提供する。
【図面の簡単な説明】
【００２０】
【図１】この発明の実施の形態に係る実施例の置物の斜視図である。
【図２】この発明の実施の形態に係る実施例の置物の斜視図である。
【図３】この発明の実施の形態に係る実施例の置物の斜視図である。
【図４】この発明の実施の形態に係る実施例の置物の台座部材の斜視図である。
【発明を実施するための形態】
【００２１】
この発明の実施の一形態に係る実施例を、図面に従い説明する。
１１は、ブロック体である。ブロック体１１は、この実施の形態では、透明なガラスからなる。透明体であれば、合成樹脂、プラスチックス等でもよい。ブロック体１１は全体としては略円錐形又は円錐台形からなる。この実施の形態では富士山の形状を基にしており、実際の地形を基にした褶曲が忠実に再現されている。但し、凹凸をはっきり表現する視覚上の要求から、実際の富士山の形状よりは、高さ方向を強調してある。高さ方向の補正倍率は約２倍である。また、富士山２合目以上があらわされている。
１２は、宝永噴火口部分であり、凹状にえぐれている。
【００２２】
２１は半透明部分である。半透明部分２１は、ブロック体１１の表面をサンドブラストあるいはそれ以外の処理方法により表面を粗し、微細な凹凸によって表面を擦りガラス状に半透明化する。
半透明部分２１は、ブロック体１１の上部に形成される。この実施の形態では、半透明部分２１は、富士山を模したブロック体１１の富士山冠雪相当部分に設けられる。半透明部分の割合は、高さは頂点からおよそ１／３の割合である。
ブロック体１１の表面が処理されずに光沢状態のままの部分が透明部分２２となる。
【００２３】
３１は、底面色部である。底面色部３１は、ブロック体１１の底面形状を略同一の形状からなり、ブロック体１１の底面下に敷設される。色部３１は、色紙、色布等からなる。
また、例えば、ブロック体１１の底面形状と略同一の形状の前記色部３１の代わりに、平面状の板などからなる台座部材４１の上面に、ブロック体１１の底面形状と略同一形状に凹んだ段落ち部分４２を設け、ブロック体１１の下部と嵌合させてもよい。この場合、台座部材４１の全体を単一色としてもいいし、段落ち部分４２の全体、あるいは一部のみを着色し、色部としてもよい。
また、平面状の台座部材４１ではなく、ブロック体１１の傾斜に連なる形状にし、裾野を表す台座部材４１としてもよい。
なお、このように台座部材４１を設ける場合は、台座部材４１に例えばペンなどの挿入部４３を設け、ペンスタンドとしてもよい。
この実施の形態では、底面色部３１は入れ替え可能な複数枚の色紙からなり、最上位に置かれた色紙の色彩が底面色として反映される。
３２は、側面色部である。側面色部３２は、ブロック体１１の側面に設置される。この実施の形態では、屏風様にL字に折られた色紙によって構成される。色紙は複数枚用意され、任意の色を側面色とすることができる。
【００２４】
底面色部３１が、ブロック体１１の底面下に敷設されると、ブロック体１１の内部を透過してきた底面色部３１の色彩が半透明部分２１で拡散され、視認者からは半透明部分が底面色部３１の色に染まって見える。この実施の形態では、底面色部３１の最上面の色紙を白色とした場合、ブロック体１１は白雪を頂く富士となり、それを赤色の色紙と入れ替えることによって半透明部分２１はうっすらと赤色に染まり、あたかも赤富士のように見える。この効果を効率よく得るため、ブロック体１１の底面は極力平滑な平面としてある。
側面については、側面色部３２の色彩は、主に透明部分２２よりブロック体１１内部に取り込まれ、その光はブロック体１１表面の褶曲によって複雑な屈折と内部反射を繰り返し、透明部分２２全体に変化に富んだ表情を見せる。
尚、底面色部３１及び側面部３２の表面を、金属光沢を伴う素材とすることによって、本発明の効果はより顕著に表れる。
【００２５】
この実施例では、専用の照明部材などの特別な光源を用いずに、透明なブロック体１１に透明部分２２及び半透明部分２１を設け、透明体であるブロック体１１の透明部分２２および半透明部分２１の視覚的違いを組み合わせて、底面あるいは側面に設置される底面色部３１あるいは側面色部３２が、ブロック体１１に表現される色彩表現に変化を与える置物を提供する。
【００２６】
次の実施の一形態に係る実施例を説明する。
前記実施例においては、ブロック体１１は透明なガラス等からなるが、ブロック体１１は有色透明なガラス等からなってもよい。この場合において、ブロック体１１自体が色彩を備えているため、底面色部３１及び側面色部３２の色彩はブロック体１１を通すとそのまま表現されず、ブロック体１１の色彩と底面色部３１、または側面色部３２の色彩は、相互作用により相まって変化に富んだ表現を行う。
【００２７】
また、半透明部分２１を設けず、ブロック体１１全体を透明部分２２としてもよい。その場合、ブロック体１１の表面に設けられた褶曲または凹状の宝永噴火口部分１２などにより、また頂点に向かい傾斜が強くなり、直角に近くなる形状により、底面色部３１及び側面色部３２の色彩は、取り込んだ光がブロック体１１内部で複雑な屈折と内部反射を繰り返し、全体に変化に富んだ表情を見せる。
【００２８】
この発明の置物は、ペン置台の置物部分にも利用できる。
なお、専用の照明部材などの特別な光源を用いた場合においても、例えば上方に光源を備え、本発明と同様の効果を奏する場合は本発明に含まれる。
【符号の説明】
【００２９】
１１  ブロック体
２１  半透明部分
２２  透明部分
３１  底面色部
３２  側面色部
４１  台座部材
【図１】
2015066774.tif 000003
【図２】
2015066774.tif 000004
【図３】
2015066774.tif 000005
【図４】
2015066774.tif 000006